(57)【特許請求の範囲】
【請求項１】
隣り合う外壁パネルの間に形成される目地にガスケットを備える目地止水構造であって、上記ガスケットは、上記目地内の中央側に位置する芯部と、上記外壁パネルの外壁面材の裏面に設けられている胴縁の間の上記目地となる空間内で上記芯部から目地幅方向に突出し、上記空間内へ侵入した水を受け止めて流すレインバリヤ部と、上記レインバリヤ部から独立しており、上記胴縁の裏面に設けられている板材の小口面の間の箇所で上記芯部から目地幅方向に突出し、当該箇所と上記空間との間を封じるウインドバリヤ部と、を備えることを特徴とする目地止水構造。
【請求項２】
請求項１に記載の目地止水構造において、上記ウインドバリヤ部は、上記板材の小口面を目地幅方向に押圧する第１押圧部と、上記板材の屋外側面を屋内方向に押圧する第２押圧部の少なくとも一方を備えることを特徴とする目地止水構造。
【請求項３】
請求項１または請求項２に記載の目地止水構造において、上記レインバリヤ部は上記外壁面材の小口面の間の幅よりも広い幅で突出することを特徴とする目地止水構造。
【請求項４】
請求項３に記載の目地止水構造において、上記レインバリヤ部の先端部が上記外壁面材の裏面に近づく方向に屈曲形成されていることを特徴とする目地止水構造。
【請求項５】
請求項１〜請求項４のいずれか１項に記載の目地止水構造において、上記レインバリヤ部と上記ウインドバリヤ部とは、ガスケットの目地内装着状態において互いに接触しないように形成されていることを特徴とする目地止水構造。
【請求項６】
請求項１〜請求項５のいずれか１項に記載の目地止水構造において、上記芯部の屋外側端部には、上記外壁面材の小口面の間に充填される不定形のシーリング材を受ける受け部が設けられていることを特徴とする目地止水構造。
【発明の詳細な説明】
【技術分野】
【０００１】
この発明は、建物の目地に設けられるガスケットおよび当該ガスケットを用いた目地止水構造に関する。
【背景技術】
【０００２】
特許文献１には、建物の目地に設けられるガスケットが開示されている。このガスケットは、隣り合う外壁面材の小口面の間（縦目地）に位置する第１フィン、上記外壁面材の裏面に設けられている縦胴縁の小口面の間に位置する第２フィン、および上記縦胴縁の裏面に設けられている断熱ボードの小口面の間に位置する第３フィンを備えている。そして、上記第２フィンは、上記外壁面材の裏面側に位置するレインバリヤ部と、上記断熱ボードの屋外側の角部近傍に位置するウインドバリヤ部とが根元を共通にして分岐形成された構造を有している。
【先行技術文献】
【特許文献】
【０００３】
【特許文献１】特開２０１３−１７４１２３号公報
【発明の概要】
【発明が解決しようとする課題】
【０００４】
しかしながら、上記第２フィンが上記分岐構造を有すると、上記レインバリヤ部は上記断熱ボードの屋外側の角部近傍から上記外壁面材の裏面に至るように長く形成される必要があるため、当該ガスケットを目地に押し込む際の上記レインバリヤ部と上記外壁面材の小口面との接触抵抗の発生状態が長くなり、ガスケット装着の作業効率が低下する。また、上記分岐構造によって上記レインバリヤ部とウインドバリヤ部とが相互に影響し合うため、例えば、上記レインバリヤ部が上記外壁面材の小口面の間で引っ掛かると、上記ウインドバリヤ部が上記断熱ボードの屋外側の角部に適切に圧接できず、上記縦胴縁の小口面の間の空間に気流が発生しやすくなり、雨水が入り込みやすくなるおそれがある。また、このような止水性能の低下を防止するために上記レインバリヤ部を長くすると、上記作業効率の低下や上記引っ掛かりが生じやすくなる。
【０００５】
この発明は、上記の事情に鑑み、目地にガスケットを装着する作業の効率を向上することができ、レインバリヤ部とウインドバリヤ部の役割が的確に発揮されるガスケットおよびこのガスケットを用いた目地止水構造を提供することを課題とする。
【課題を解決するための手段】
【０００６】
この発明のガスケットは、上記の課題を解決するために、隣り合う外壁パネルの間に形成される目地に装着されるガスケットにおいて、上記目地内の中央側に位置する芯部と、上記外壁パネルの外壁面材の裏面に設けられている胴縁の間の上記目地となる空間内で上記芯部から目地幅方向に突出し、上記空間内へ侵入した水を受け止めて流すレインバリヤ部と、上記レインバリヤ部から独立しており、上記胴縁の裏面に設けられている板材の小口面の間の箇所で上記芯部から目地幅方向に突出し、当該箇所と上記空間との間を封じるウインドバリヤ部と、を備えることを特徴とする。
【０００７】
上記の構成であれば、上記レインバリヤ部と上記ウインドバリヤ部とが独立して存在するため、上記ウインドバリヤ部を上記板材の小口面の間の箇所に設ける一方で、上記レインバリヤ部を上記外壁面材の裏面側に近づけて設けることができる。このため、上記レインバリヤ部を長く形成する必要がなくなり、当該ガスケットを目地に押し込む際の上記レインバリヤ部と上記外壁面材の小口面との接触による抵抗の発生状態を短くできるので、ガスケット装着の作業効率が向上する。また、上記独立構造によって上記レインバリヤ部とウインドバリヤ部とが相互に影響し合わなくなるため、上記ウインドバリヤ部を上記板材に適切に圧接させることが可能になる。
【０００８】
上記ウインドバリヤ部は、上記板材の小口面を目地幅方向に押圧する第１押圧部と、上記板材の屋外側面を屋内方向に押圧する第２押圧部の少なくとも一方を備えていてもよい。上記第１押圧部を有すると、上記板材の小口面を押圧して気密を確保することができ、上記第２押圧部を有すると、上記板材の屋外側面を押圧して気密を確保することができる。上記第１押圧部および上記第２押圧部の両方を有すると、一方の押圧部による気密が不十分となる場合でも、他方の押圧部による気密を確保することが可能である。
【０００９】
上記レインバリヤ部は上記外壁面材の小口面の間の幅よりも広い幅で突出していてもよい。これによれば、仮に上記外壁面材の小口面の間から雨水が上記レインバリヤ部に向かって侵入することがあっても、上記広い幅によって雨水が胴縁等に付着するのを防止することができる。
【００１０】
上記レインバリヤ部の先端部が上記外壁面材の裏面に近づく方向に屈曲形成されていてもよい。これによれば、上記レインバリヤ部に向かって侵入する雨水が上記胴縁等に付着するのをより確実に防止することができる。
【００１１】
上記芯部の屋外側端部には、上記外壁面材の小口面の間に位置する止水部が設けられていてもよい。これによれば、上記外壁面材の小口面の間での１次止水および上記外壁面材の裏面よりも屋内側の２次止水を、当該ガスケットを用いて乾式で行うことができる。
【００１２】
上記芯部の屋外側端部には、上記外壁面材の小口面の間に充填される不定形のシーリング材を受ける受け部が設けられていてもよい。これによれば、上記外壁面材の小口面の間での１次止水を湿式で行うことができる。
【００１３】
また、この発明の目地止水構造は、隣り合う外壁パネルの間に形成される目地に上記のいずれかに記載のガスケットが入れられたことを特徴とする。
【発明の効果】
【００１４】
本発明であれば、目地にガスケットを装着する作業の効率を向上することができ、また、レインバリヤ部とウインドバリヤ部の役割を的確に発揮させることができるという効果を奏する。
【図面の簡単な説明】
【００１５】
【図１】本発明の実施形態のガスケットが用いられた目地止水構造を目地幅が狭い状況を想定して示した概略の水平断面図である。
【図２】本発明の実施形態のガスケットが用いられた目地止水構造を目地幅が広い状況を想定して示した概略の水平断面図である。
【図３】図１に示したガスケットを拡大して示した概略の断面図である。
【図４】本発明の他の実施形態のガスケットが用いられた目地止水構造を示した概略の水平断面図である。
【発明を実施するための形態】
【００１６】
図１および図２に示すように、外壁パネル１は、外壁面材２と、縦胴縁３と、板材（グラスウール板等）４と、上記外壁面材２を取り付ける支持材となるフレーム５とを備えている。上記縦胴縁３は上記外壁面材２の裏面側（屋内側）に位置しており、上記板材４は上記縦胴縁３の裏面側（屋内側）に位置している。
【００１７】
上記縦胴縁３および上記板材４は、図示しない釘によって上記フレーム５に固定されている。また、上記板材４には沈み込み防止用の樹脂ピン６が設けられており、上記縦胴縁３に上記釘が打ち込まれるときに上記板材４が沈み込むのが防止される。また、上記外壁面材２の裏面には図示しない係合穴が形成されている。そして、上記フレーム５には、図示しない裏面固定ビスがねじ込まれており、この裏面固定ビスの突出頭部を上記係合穴に係合することで上記外壁面材２が上記フレーム５に支持される。
【００１８】
左右に隣り合う外壁パネル１間には縦目地が形成される。そして、この縦目地において、上記縦胴縁３の間の目地となる空間の幅は、上記外壁面材２の小口面の間の目地となる空間の幅および上記板材４の小口面の間の目地となる空間の幅よりも広くなっている。
【００１９】
上記縦目地には、当該縦目地をシールするガスケット７が設けられている。このガスケット７は、例えば、ＥＰＤＭ（エチレン・プロピレンゴム）などの合成ゴムからなる。もちろん、このような素材に限るものではない。また、ＴＰＯ（オレフィン系エラストマー）のような熱可塑性エラストマーや、ＰＶＣ（ポリ塩化ビニル）などの樹脂でもよい。このガスケット７の素材としてはゴム様弾性体が好ましく、特にガスケットの芯部はポリプロピレン（ＰＰ）やポリエチレン（ＰＥ）などの柔軟性の低い素材を用いることも可能である。
【００２０】
上記ガスケット７は、上記外壁面材２の小口面の間の目地となる空間から入れることができる。このガスケット７の装着には図示しない治具を用いることができ、この治具によって屋外側からガスケット７を押し込むと、このガスケット７が規定の位置まで押し込まれるようになっている。
【００２１】
上記ガスケット７は、上記目地の中央側に位置する芯部７０を有している。この芯部７０は、その長手方向に直交する断面の形状が上記目地の奥行方向に長くされる形状を有しており、屋内側（奥側）から屋外側（手前側）の方向に順に、第１フィン７１、第２フィン７２、第３フィン７３、第４フィン７４、第５フィン７５および第６フィン７６を備えている。これらフィンは、上記芯部７０から目地幅方向両側に突出するように形成されている。
【００２２】
上記第１フィン７１は、上記板材４の小口面の間の箇所で当該小口面の間を封止するとともに、上記芯部７０を上記板材４の小口面の間の中央へとガイドするように機能する。上記第１フィン７１の屋外側の面には、当該ガスケット７の長手方向に凹溝が形成されており、この凹溝によって上記第１フィン７１の先端側が屋外方向に曲がり易くなっている。
【００２３】
上記第２フィン７２は、上記板材４の小口面を目地幅方向に押圧する第１押圧部７２ａと、上記板材４の屋外側面を屋内方向に押圧する第２押圧部７２ｂとを備えており、上記板材４の小口面の間の箇所と上記縦胴縁３間の目地となる空間との間を封じるウインドバリヤ部として機能する。すなわち、上記縦胴縁３側の目地空間が上記板材４の屋内側の空間から上記第２フィン７２によって遮断されるので、上記縦胴縁３側の目地空間は、外気圧と等しい気圧で気流の生じにくい空間となる。
【００２４】
上記第１押圧部７２ａは、図３に示すように、自然状態において、屋外方向に斜めに向くように形成されており、上記第２押圧部７２ｂは、上記第１押圧部７２ａの先端部で屋内方向に斜めに向くように形成されている。また、上記第１押圧部７２ａおよび上記第２押圧部７２ｂの屋内側の面には、それぞれスポンジ７２ｃが接着されている。上記第１押圧部７２ａと上記第２押圧部７２ｂの境界部の屋内側の面は上記板材４の屋外側の角に位置する箇所であり、当該箇所にはガスケット７の長手方向に凹溝が形成されており、上記第２押圧部７２ｂが屋内方向に曲がり易くされている。また、上記凹溝の形成箇所にはスポンジは設けられていない。
【００２５】
上記第３フィン７３は、上記第２フィン７２から独立して形成されている。すなわち、上記第３フィン７３は、上記第２フィン７２の途中部から突出するのではなく、上記芯部７０から直に突出している。そして、上記第３フィン７３は、上記縦胴縁３の間の目地となる空間内で目地幅方向に突出しており、上記縦胴縁３の間の目地となる空間内へ侵入した水を受け止めて下方へ落とすレインバリヤ部として機能する。また、上記第３フィン７３の基部側は、自然状態において、屋外方向に斜めに向くように形成されている。また、上記第３フィン７３の屋外側の面上には、当該ガスケット７の長手方向に凹溝が形成されており、上記凹溝よりも先端側の部位は、上記外壁面材２の裏面に近づく方向に屈曲している。なお、上記第３フィン７３の先端部は上記外壁面材２の裏面に接触していないが、上記第３フィン７３の先端部が上記外壁面材２の裏面に接触する構造を採用してもよい。
【００２６】
上記第４フィン７４は、上記外壁面材２の小口面の間の目地となる空間内に位置するように形成されており、上記外壁面材２の小口面を目地幅方向に押圧する。上記第４フィン７４の上記芯部７０を含めた全体幅は、上記第３フィン７３の全体幅よりも狭くされる一方、上記外壁面材２の小口面の間の幅よりも広くされている。また、上記第４フィン７４は、上記第３フィン７３が目地挿入の際に屋外側の曲げられたときに重ならないように、上記第３フィン７３から離れて位置している。
【００２７】
上記第５フィン７５は、上記外壁面材２の小口面の間の目地となる空間内に位置するように形成されており、上記外壁面材２の小口面を目地幅方向に押圧する。上記第５フィン７５の上記芯部７０を含めた全体幅は、上記第４フィン７４の全体幅よりも広く形成されている。また、上記第５フィン７５の屋内側の面には、スポンジ７５ａが接着されている。
【００２８】
上記第６フィン７６は、上記外壁面材２の小口面の最も屋外側に位置し、上記小口面を目地幅方向に押圧するとともに、屋外に露呈して外壁の外観を形成する。なお、上記第６フィン７６は、意匠性を重視して他の部分とは異なる材料を用いて形成されることもある。上記第６フィン７６の上記芯部７０を含めた全体幅は、上記第５フィン７５の全体幅と同程度とされている。また、上記第６フィン７６および上記第５フィン７５は、上記芯部７０に接続されているだけでなく、互いに連結部７７によって連結されている。上記連結部７７と上記芯部７０との間には、空洞が形成されており、目地装着時において上記第５フィン７５が無理なく変形できるようになっている。
【００２９】
また、上記第５フィン７５と上記第６フィン７６の間の芯部７０には、芯金８１が設けられている。さらに、上記第２フィン７２の基部の近傍の上記芯部７０には芯線８２が設けられている。
【００３０】
上記の構成であれば、上記レインバリヤ部となる第３フィン７３と上記ウインドバリヤ部となる第２フィン７２とが独立して存在するため、上記ウインドバリヤ部となる第２フィン７２を上記板材４の小口面の間の箇所に設ける一方で、上記レインバリヤ部となる第３フィン７３を上記外壁面材の裏面側に近づけて設けることができる。このため、上記第３フィン７３を長く形成する必要がなくなり、当該ガスケット７を目地に押し込む際の上記第３フィン７３と上記外壁面材２の小口面との接触による抵抗の発生状態を短くできるので、ガスケット装着の作業効率が向上する。また、上記独立構造によって上記第３フィン７３と第２フィン７２とが相互に影響し合わなくなるため、上記第２フィン７２を上記板材４に適切に圧接させることが可能になる。
【００３１】
この実施形態では、上記第２フィン７２は、上記板材４の小口面を目地幅方向に押圧する第１押圧部７２ａと、上記板材４の屋外側面を屋内方向に押圧する第２押圧部７２ｂの両方を備えたが、いずれか一方を備えることとしてもよい。上記第１押圧部７２ａを有すると、上記板材４の小口面の間を押圧して気密を確保することができ、上記第２押圧部７２ｂを有すると、上記板材４の屋外側面を押圧して気密を確保することができる。上記第１押圧部７２ａおよび上記第２押圧部７２ｂの両方を有すると、一方の押圧部による気密が不十分となる場合でも、他方の押圧部による気密を確保することが可能である。例えば、図１に示したように、目地幅が狭い場合では、上記第２押圧部７２ｂによる気密が不十分となるおそれがあるが、このような場合でも、上記第１押圧部７２ａによる気密を確保することが可能である。一方、図２に示したように、目地幅が広い場合では、上記第１押圧部７２ａによる気密が不十分となるおそれがあるが、このような場合でも、上記第２押圧部７２ｂによる気密を確保することが可能である。また、隣り合う上記板材４の屋外側の面に段差があったとしても、一方の板材４の側では上記第１押圧部７２ａによる気密が確保され、他方の板材４の側では上記第２押圧部７２ｂによる気密が確保されることが可能である。
【００３２】
上記第３フィン７３が上記外壁面材２の小口面の間よりも広い幅で突出していると、仮に上記外壁面材２の小口面の間から雨水が上記レインバリヤ部に向かって侵入することがあっても、上記広い幅によって雨水が縦胴縁３等に付着するのを防止することができる。
【００３３】
上記第３フィン７３の先端部が上記外壁面材２の裏面に近づく方向に屈曲形成されていると、上記第３フィン７３に向かって侵入する雨水が上記縦胴縁３等に付着するのをより確実に防止することができる。
【００３４】
上記芯部７０の屋外側端部に上記外壁面材２の小口面の間に位置する上記第６フィン７６（止水部）が設けられていると、上記外壁面材２の小口面の間での１次止水と、上記外壁面材２の裏面よりも屋内側での２次止水を、当該ガスケット７だけで乾式により行うことができる。
【００３５】
図４は、他の実施形態のガスケット７Ａが用いられた目地止水構造を示した概略の水平断面図である。この実施形態のガスケット７Ａは、上記ガスケット７における第４フィン７４、第５フィン７５および第６フィン７６を備えておらず、最も屋外側の部位に受け部７８を備えている。この受け部７８は上記外壁面材２の小口面の間に位置し、この小口面の間に充填される不定形のシーリング材９を受け止める。すなわち、この実施形態のガスケット７Ａを用いることで、上記外壁面材２の小口面の間での１次止水を湿式で行う目地止水構造となる。
【００３６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３７】
１      外壁パネル
２      外壁面材
３      縦胴縁
４      板材
７      ガスケット
７０    芯部
７１    第１フィン
７２    第２フィン（ウインドバリヤ部）
７２ａ  第１押圧部
７２ｂ  第２押圧部
７３    第３フィン（レインバリヤ部）
７４    第４フィン
７５    第５フィン
７６    第６フィン
７Ａ    ガスケット
７８    受け部
９      シーリング材
【図１】
0006532684.tif 000002
【図２】
0006532684.tif 000003
【図３】
0006532684.tif 000004
【図４】
0006532684.tif 000005